(57)【特許請求の範囲】
【請求項１】
ねじ部材を、軸部材に配したねじ部材の装着部となる部材に接着剤により固着してなる筆記具の軸部材の製造方法であって、前記軸部材に配したねじ部材の装着部となる部材を、外壁面にかしめポンチにより打刻して内壁面より突出した突起を設けた状態で前記軸部材内に配し、前記突起を前記ねじ部材の回転を抑制する回転抑制手段とさせ、前記ねじ部材に設けた雄ねじまたは雌ねじの開始位置と終わりの位置が前記軸部材の周方向の特定した位置にくるように位置調整して、前記ねじ部材を前記軸部材に配したねじ部材の装着部となる部材に固着したことを特徴とする、筆記具の軸部材の製造方法。
【請求項２】
前記軸部材が、断面形状が非円形または断面形状が円形であって模様や絵柄を有した後軸の前方に、雄ねじ部を有した連結部材を介して、先端に筆記先端部を設けた先軸を着脱自在に装着した筆記具本体と、該筆記具本体に着脱自在にねじ嵌合可能な、連結部材の雄ねじ部に噛合う雌ねじ部を有するねじ部材を前記軸部材に配した当該ねじ部材の装着部となる部材に接着剤により固着した断面形状が前記後軸と同形または該後軸の模様や絵柄に連続する模様や絵柄を有したキャップとで構成された筆記具におけるキャップである、請求項１に記載の筆記具の軸部材の製造方法。
【請求項３】
前記軸部材が、断面形状が非円形または断面形状が円形であって模様や絵柄を有した後軸の後端に、外方に突出した雄ねじ部を有するキャップ嵌合用ねじ尾栓を前記軸部材に配した当該キャップ嵌合用ねじ尾栓の装着部となる部材に接着剤により固着し、前記後軸の前方に、雄ねじ部を有した連結部材を介して、先端に筆記先端部を設けた先軸を着脱自在に装着した筆記具本体と、該筆記具本体に着脱自在にねじ嵌合可能な、連結部材の雄ねじ部に噛合う雌ねじ部を有した断面形状が前記後軸と同形または該後軸の模様や絵柄に連続する模様や絵柄を有したキャップとで構成された筆記具における後軸である、請求項１または２に記載の筆記具の軸部材の製造方法。
【発明の詳細な説明】
【技術分野】
【０００１】
本発明は、ねじ部材を、軸部材に配したねじ部材の装着部となる部材に接着剤により固着してなる筆記具の軸部材の製造方法に関する。
【背景技術】
【０００２】
従来、断面形状が非円形または断面形状が円形であって模様や絵柄を有した後軸の前方に、雄ねじ部を有した連結部材を介して、先端に筆記先端部を設けた先軸を着脱自在に装着した筆記具本体に、該筆記具本体に着脱自在にねじ嵌合可能な、連結部材の雄ねじ部に噛合う雌ねじ部を有するねじ部材を固着した断面形状が後軸と同形または後軸の模様や絵柄に連続する模様や絵柄を有したキャップをねじ嵌合してなる万年筆のキャップがある。
【０００３】
例えば、後軸やキャップに蒔絵が施された万年筆の場合には、キャップを万年筆本体にねじ嵌合した状態で蒔絵の絵柄を描けば、常にキャップを万年筆本体にねじ嵌合した際に、前記絵柄が連続した状態となるが、断面形状が略四角形である後軸とキャップとで構成される万年筆においては、必ずしもキャップを万年筆本体にねじ嵌合した際に、後軸とキャップとの外形形状における断面形状が略四角形の各々の角部が周上の同一の位置に位置するように外形形状が連続するとは限らない。
【０００４】
キャップを万年筆本体にねじ嵌合して、後軸とキャップとの外形形状が連続するようにするには、ねじ嵌合のためのキャップの内部に設けるねじの開始位置や終わりの位置を周方向において特定した位置に設ける必要があるが、断面形状が略四角形状のキャップにねじ部を加工して設けるには、現実問題として難しさがある。従って、キャップに設けるねじ部は、ねじ部材を形成してキャップに装着してねじ部を設けている。ねじ部材をキャップに装着するにしても、雌ねじの開始位置や終わりの位置を特定してキャップを挿入して固着する必要があり、ねじ部材を挿入する際の方向性を確認するための目印等をねじ部材に設けたりしなければならないし、また前記キャップに装着したねじ部材の雌ねじにねじ嵌合する万年筆本体に設けた雄ねじ部におけるねじの開始位置や終わりの位置との関係によっても、後軸とキャップとの外形形状が連続したりしなかったりするので、こうした万年筆におけるキャップの製造は困難であった。
【０００５】
断面形状が非円形または断面形状が円形であって模様や絵柄を有した後軸を有した筆記具本体と、断面形状が後軸と同形または後軸の模様や絵柄に連続する模様や絵柄を有したキャップとで構成され、キャップを筆記具本体に嵌合した際に、キャップの形状または模様や絵柄が常に後軸の形状または模様や絵柄と連続する筆記具を容易に製造できる方法が、特開２００２−８６９７５号公報により開示されている。開示されている製造方法は、筆記先端部を設けた首部（先軸）に連結部材を嵌合し、該首部をキャップ内に挿入してキャップを首部（先軸）または連結部材にねじ嵌合し、その状態で胴部（後軸）の周方向の所望する位置がキャップの周方向の特定した位置に揃うように胴部（後軸）を連結部材の他方に固着して筆記具本体（万年筆本体）を製造するもので、これにより、キャップを首部（先軸）または連結部材にねじ嵌合して筆記具本体（万年筆本体）に嵌合した際に、常に胴部（後軸）の周方向の所望する位置がキャップの周方向の特定した位置に常に位置するものである。
【０００６】
前記発明には、連結部材（ねじ部材）のねじの開始位置と終わりの位置が胴軸（軸部材）の周方向の特定した位置にくるように位置調整して、連結部材（ねじ部材）を胴軸（軸部材）に接着剤により固着する技術が開示されている。しかし、連結部材（ねじ部材）を胴軸（軸部材）に接着剤により固着するために、接着剤が硬化する間に胴軸への一寸した振動や衝撃等の影響により回転して位置がずれてしまい、その状態で硬化してしまうという問題があった。
【特許文献１】特開２００２−８６９７５号公報
【発明の開示】
【発明が解決しようとする課題】
【０００７】
本発明はこうした現実問題に鑑み、ねじ部材を、軸部材に配したねじ部材の装着部となる部材に接着剤により固着してなる筆記具の軸部材の製造方法であって、ねじ部材を軸部材に配したねじ部材の装着部となる部材に挿入して、ねじ部材の雄ねじまたは雌ねじの開始位置と終わりの位置が軸部材の周方向の特定した位置にくるように位置調整した後に、一寸した振動や衝撃により容易にねじ部材が軸部材に対して回転して位置がずれないようにした筆記具の軸部材の製造方法とするものである。
【課題を解決するための手段】
【０００８】
本発明は、
「１．ねじ部材を、軸部材に配したねじ部材の装着部となる部材に接着剤により固着してなる筆記具の軸部材の製造方法であって、前記軸部材に配したねじ部材の装着部となる部材を、外壁面にかしめポンチにより打刻して内壁面より突出した突起を設けた状態で前記軸部材内に配し、前記突起を前記ねじ部材の回転を抑制する回転抑制手段とさせ、前記ねじ部材に設けた雄ねじまたは雌ねじの開始位置と終わりの位置が前記軸部材の周方向の特定した位置にくるように位置調整して、前記ねじ部材を前記軸部材に配したねじ部材の装着部となる部材に固着したことを特徴とする、筆記具の軸部材の製造方法。
２．前記軸部材が、断面形状が非円形または断面形状が円形であって模様や絵柄を有した後軸の前方に、雄ねじ部を有した連結部材を介して、先端に筆記先端部を設けた先軸を着脱自在に装着した筆記具本体と、該筆記具本体に着脱自在にねじ嵌合可能な、連結部材の雄ねじ部に噛合う雌ねじ部を有するねじ部材を前記軸部材に配した当該ねじ部材の装着部となる部材に接着剤により固着した断面形状が前記後軸と同形または該後軸の模様や絵柄に連続する模様や絵柄を有したキャップとで構成された筆記具におけるキャップである、前記１項に記載の筆記具の軸部材の製造方法。
３．前記軸部材が、断面形状が非円形または断面形状が円形であって模様や絵柄を有した後軸の後端に、外方に突出した雄ねじ部を有するキャップ嵌合用ねじ尾栓を前記軸部材に配した当該キャップ嵌合用ねじ尾栓の装着部となる部材に接着剤により固着し、前記後軸の前方に、雄ねじ部を有した連結部材を介して、先端に筆記先端部を設けた先軸を着脱自在に装着した筆記具本体と、該筆記具本体に着脱自在にねじ嵌合可能な、連結部材の雄ねじ部に噛合う雌ねじ部を有した断面形状が前記後軸と同形または該後軸の模様や絵柄に連続する模様や絵柄を有したキャップとで構成された筆記具における後軸である、前記１項または２項に記載の筆記具の軸部材の製造方法。」
である。
【０００９】
本発明において、回転抑制手段とは、ねじ部材が回転しようとした際に抵抗となって回転を抑制するための手段である。例えば、ねじ部材を軸部材内に挿入した際に、ねじ部材の外壁面と軸部材の内壁面または軸部材に装着した部材の内壁面との間で、一部が相手に当接することで回転の際の抵抗となるものである。具体的に言えば、軸部材の内壁面または軸部材に装着した部材の内壁面に当接するねじ部材の外壁面に外方に突出して形成した突起である。または、ねじ部材の外壁面に当接する軸部材の内壁面または軸部材に装着した部材の内壁面に内方に突出して形成した突起である。
【発明の効果】
【００１０】
回転抑制手段により、軸部材に対してねじ部材は容易に回転することがないので、ねじ部材を軸部材の特定した位置に位置調整を行った後で接着剤が硬化するまでの間に、一寸した振動や衝撃などによる影響で回転して軸部材に対するねじ部材の位置がずれてしまい、その状態で固着してしまうという恐れがない。また、位置調整の際に回転の際の抵抗力により、位置を微妙に調整して製造できるという利点がある。
【発明を実施するための最良の形態】
【００１１】
断面形状が略正四角形の後軸の後端に、外方に突出した雄ねじ部を有したキャップ嵌合用ねじ尾栓を設け、後軸の前方に、雄ねじ部を有した連結部材を介して、先端に平板状のペン先を設けた断面形状が円形状の先軸を着脱自在に装着した万年筆本体と、連結部材の雄ねじ部にねじ嵌合する雌ねじ部を有したねじ部材を配した、断面形状が略正四角形のキャップとで構成された万年筆における、キャップとキャップ嵌合用ねじ尾栓を設けた後軸の製造方法である。
【実施例】
【００１２】
本発明の実施例を図面を用いて説明するが、本発明はこれに限定されるものではない。図１は、本発明の実施例の万年筆を示し、万年筆本体にキャップをねじ嵌合するの状態を示した図である。図２は、万年筆本体にキャップをねじ嵌合した状態を万年筆を示し、（ａ）は万年筆の正面図、（ｂ）は万年筆のキャップ部分側の左側面図である。図３は、万年筆本体を構成する後軸を示し、（ａ）は後軸の正面図であり、（ｂ）は後軸の左側面図である。図４は、一部要部を断面したねじ部材の拡大正面図である。図５は、要部を断面したキャップの拡大正面図である。図６は、キャップ嵌合用ねじ尾栓の拡大正面図である。図７は、後軸の端部に固着する補強金輪部材を示し、（ａ）は要部を断面した補強金輪部材の拡大正面図であり、（ｂ）は補強金輪部材の拡大左側面図である。
【００１３】
本発明の実施例の万年筆１は、図１および図２に示すように、木軸製の後軸（胴軸とも呼ばれている）２の前方に金属製の雄ねじ部３を有した連結部材４を介して、先端にペン先５とペン芯６を設けた樹脂製の先軸（首軸とも呼ばれている）７を連結し、後軸２の後端に後方に外方に突出した雄ねじ部８を有したキャップ嵌合用尾栓９を固着した万年筆本体１０と、先軸７を被覆するにキャップ１１とで構成され、該キャップ１１を前記連結部材４の雄ねじ部３にねじ嵌合することにより、キャップ１１を万年筆本体１０に嵌合するものである。
【００１４】
後軸２は、図３に示すように、断面形状が正四角形の角部をＲ状に面取りした４つのＲ状面部２ａと、正四角形の一辺を構成する４つの平側面部２ｂとで構成された断面形状が略正四角形の形状であり、キャップ１１も、図２の（ｂ）に示すように、断面形状が後軸２と同形の角部をＲ状に面取りした４つのＲ状面部１１ａと、正四角形の一辺を構成する４つの平側面部１１ｂとで構成された断面形状が略正四角形の形状である。
【００１５】
本実施例の万年筆１においては、キャップ１１を連結部材４を介して万年筆本体１０にねじ嵌合すると、図２に示すように、後軸２のＲ状面部２ａとキャップ１１のＲ状面部１１ａとが、後軸２の平側面部２ｂとキャップ１１の平側面部１１ｂとが、周方向状において同一位置に位置して全長に渡って形状が連続するものである。またさらには、キャップ１１をキャップ嵌合用尾栓９にねじ嵌合すると、図示していないが、同様に後軸２のＲ状面部２ａとキャップ１１のＲ状面部１１ａとが、後軸２の平側面部２ｂとキャップ１１の平側面部１１ｂとが、周方向状において同一位置に位置する。
【００１６】
そのためには、キャップ１１を連結部材４にねじ嵌合した際に、前記したようなキャップ１１と後軸２の形状が連続するようにするには、キャップ１１に配する連結部材４の雄ねじ部３にねじ嵌合する、図４に示すような雌ねじ部１２を有したねじ部材１３を、キャップ１１における周方向の位置が前記したようなキャップ１１と後軸２の周方向の位置関係となるように、キャップ１１に挿入する。
【００１７】
キャップ１１は、図５に示すように、金属製の外キャップ１４内に樹脂製の内キャップ１５とで構成され、先端開口部１６にはねじ部材１３をより強硬に接着するめに金属製の接着補強金輪部材１７を装着してある。接着補強金輪部材１７には、外壁面をかしめポンチにより打刻して形成してなる、回転抑制手段となる内壁面より突出した突起１８を設けてある。符号１９はクリップ１９で、符号２０は断面形状が略正四角形でキャップ１３と同じ大きさの頭冠である。
【００１８】
キャップ１１にねじ部材１３を挿入する前に、予め接着補強金輪部材１７の内壁面に接着剤を塗布しておき、ねじ部材１３を挿入する。前記したように後軸２とキャップ１１の形状が連続するようにねじ部材１３を回転して位置調整し、ねじ部材１３を接着剤でキャップ１１に固着する。ねじ部材１３は、接着補強金輪部材１７に設けた回転抑制手段となる突起１８が当接するので、回転を抑制されるので微調整が可能となる。また、接着剤が硬化するまでに、一寸した振動や衝撃により容易にねじ部材１３がキャップ１１に対して回転することがないので、前記位置がずれる心配がない。
【００１９】
また、キャップ１１をキャップ嵌合用ねじ尾栓９にねじ嵌合した際に、前記したようなキャップ１１と後軸２の形状が連続するようにするには、図６に示すような後軸２に設けるキャップ嵌合用ねじ尾栓９の周方向の位置を、キャップ１１をキャップ嵌合用ねじ尾栓９にねじ嵌合した際に、前記したようなキャップ１１と後軸２の周方向の位置関係となるように、キャップ嵌合用ねじ尾栓９の雄ねじ部８の終わり位置を後軸６に対して位置決めして、キャップ嵌合用ねじ尾栓９を後軸２に挿入する。
【００２０】
後軸２は、開口端部２１に、図７に示すような後軸２の縁部が他の部材との当接による摩耗や衝撃などによる破損を防止するための後軸２の断面形状と同形の略正四角形の形状とした鍔部２２と後軸２内に挿入する円筒状の挿入部２３とで構成された補強金輪部材２４を、挿入部２３を後軸２の前方の開口端部２１に挿入して接着剤により固着して設けてある。補強金輪部材２４には、図示してないが、外壁面をかしめポンチにより打刻して形成してなる、回転抑制手段となる内壁面より突出した突起２５を設けてある。
【００２１】
キャップ嵌合用ねじ尾栓９を後軸２に挿入する前に、予め、補強金輪部材２４の内壁面に接着剤を塗布しておき、キャップ嵌合用ねじ尾栓９を挿入する。前記したように後軸２とキャップ１１の形状が連続するようにキャップ嵌合用ねじ尾栓９を回転して位置調整し、キャップ嵌合用ねじ尾栓９を接着剤で後軸２の後方の開口端部２１に固着する。キャップ嵌合用ねじ尾栓９は、補強金輪部材２４に設けた回転抑制手段となる突起２５が当接するので、回転を抑制されるので微調整が可能となる。また、接着剤が硬化するまでに、一寸した振動や衝撃により容易にキャップ嵌合用ねじ尾栓９が後軸２に対して回転することがないので、前記位置がずれる心配がない。
【産業上の利用可能性】
【００２２】
本発明の筆記具の組立方法は、断面形状が非円形または断面形状が円形であって模様や絵柄を有したキャップと筆記具本体を構成する後軸を有した筆記具において、またさらには後軸の後端にキャップをねじ嵌合可能なキャップ嵌合用尾栓を設けた筆記具において、キャップを筆記具本体にねじ嵌合した際に、またはキャップをャップ嵌合用尾栓にねじ嵌合した際に、常にキャップと後軸の外形形状や模様等が連続するような筆記具を要望するときに利用することができる。
【図面の簡単な説明】
【００２３】
【図１】本発明の実施例の万年筆を示し、万年筆本体にキャップをねじ嵌合するの状態を示した図である。
【図２】万年筆本体にキャップをねじ嵌合した状態を万年筆を示し、（ａ）は万年筆の正面図、（ｂ）は万年筆のキャップ部分側の左側面図である。
【図３】万年筆本体を構成する後軸を示し、（ａ）は後軸の正面図であり、（ｂ）は後軸の左側面図である。
【図４】一部要部を断面したねじ部材の拡大正面図である。
【図５】要部を断面したキャップの拡大正面図である。
【図６】キャップ嵌合用ねじ尾栓の拡大正面図である。
【図７】後軸の端部に固着する補強金輪部材を示し、（ａ）は要部を断面した補強金輪部材の拡大正面図であり、（ｂ）は補強金輪部材の拡大左側面図である。
【符号の説明】
【００２４】
１  万年筆
２  後軸
３  雄ねじ部
４  連結部材
７  先軸
８  雄ねじ部
９  キャップ嵌合用ねじ尾栓
１１  キャップ
１２  雌ねじ部
１３  ねじ部材
１８  突起
２５  突起
【図１】
0005088943.tif 000002
【図２】
0005088943.tif 000003
【図３】
0005088943.tif 000004
【図４】
0005088943.tif 000005
【図５】
0005088943.tif 000006
【図６】
0005088943.tif 000007
【図７】
0005088943.tif 000008